(57)【要約】【課題】横並びに配置された浸透箱同士を容易に結束することが可能な浸透箱を提供する。【解決手段】本発明の浸透箱１０では、横並びになった両浸透箱１０，１０のうち一方の浸透箱１０内に上面から挿入した結束バンドＢの先端部が、第１又は第２のバンドガイド壁３３，３４の案内により、他方の浸透箱１０の上面から外側に容易に排出させることができ、結束バンドＢの結束作業を容易に行うことが可能になる。また、結束バンドＢが前後の浸透箱１０，１０同士の嵌合部分を貫通するので、結束バンドＢにより横並びの浸透箱１０，１０同士と、前後の浸透箱１０，１０同士の両方を連結することができる。【選択図】図１０
2018145732.tif 000002
【特許請求の範囲】
【請求項１】
メッシュ構造の側壁を有して前面と後面とが開放した直方体状をなし、前後に複数並んだ状態で地中に埋設されて浸透トレンチを構成する浸透箱であって、
前記側壁同士が直交する側壁間角部を挟んだ両側に開口する１対の第１バンド挿通口と、
前記１対の第１バンド挿通口に対して前記側壁間角部から離れた側に隣接配置される１対の第２バンド挿通口と、
前記浸透箱同士が前後に並んだ状態で他の浸透箱の前記１対の第１バンド挿通口の間に挿入されるか、又は、前記側壁間角部を挟んだ前記側壁同士の間に差し渡された状態に形成されるかして、一方の前記第１バンド挿通口に挿入される結束バンドの先端を他方の前記第１バンド挿通口へと案内する第１バンドガイド壁と、
前記浸透箱同士が前後に並んだ状態で他の浸透箱の前記１対の第２バンド挿通口の間に挿入されるか、又は、前記側壁間角部を挟んだ前記側壁同士の間に差し渡された状態に形成されるかして、一方の前記第２バンド挿通口に挿入される結束バンドの先端を他方の前記第２バンド挿通口へと案内する第２バンドガイド壁と、を備える浸透箱。
【請求項２】
前記第１バンド挿通口及び前記第２バンド挿通口は、前記浸透箱の後端側のコーナー部に配置され、
前記浸透箱の前面から突出して、前記浸透箱同士が前後に並んだ状態で他の浸透箱の後端側のコーナー部に挿入されるコーナー突部と、
前記コーナー突部に形成されて、前記他の浸透箱の前記１対の第１バンド挿通口に内側から重なる１対の第１内側バンド挿通口と、
前記コーナー突部に形成されて、前記他の浸透箱の前記１対の第２バンド挿通口に内側から重なる１対の第２内側バンド挿通口と、が備えられ、
前記第１バンドガイド壁は、前記１対の第１内側バンド挿通口の前記側壁間角部から離れた側の開口縁間を連絡し、
前記第２バンドガイド壁は、前記１対の第２内側バンド挿通口の前記側壁間角部から離れた側の開口縁間を連絡している請求項１に記載の浸透箱。
【請求項３】
前記１対の第１バンド挿通口のうち前記側壁間角部から離れた側の内面は、前記１対の第１内側バンド挿通口のうち前記側壁間角部から離れた側の内面より、さらに前記側壁間角部から離れた側に位置している請求項２に記載の浸透箱。
【請求項４】
前記第１バンドガイド壁のうち前記側壁間角部側を向いた面は、両端寄り位置で屈曲して前記１対の第１内側バンド挿通口の内面に連続している請求項２又は３に記載の浸透箱。
【請求項５】
横並びに配置された前記浸透箱の前記第１バンド挿通口同士及び前記第２バンド挿通口同士の間に隙間が形成されるように、前記浸透箱同士の間で当接するサイド当接部を備える請求項１乃至４の何れか１の請求項に記載の浸透箱。
【請求項６】
前記第１バンド挿通口より前記第２バンド挿通口の方が、前記第１バンド挿通口と前記第２バンド挿通口との並び方向で大きくなっている請求項１乃至５の何れか１の請求項に記載の浸透箱。
【請求項７】
前記第１バンドガイド壁は、略平坦になっている一方、前記第２バンドガイド壁は、略円弧状に湾曲している請求項１乃至６の何れか１の請求項に記載の浸透箱。
【発明の詳細な説明】
【技術分野】
【０００１】
本発明は、前面と後面とが開放した直方体状をなし、前後に複数並んだ状態で地中に埋設されて浸透トレンチを構成する浸透箱に関する。
【背景技術】
【０００２】
従来、この種の浸透箱の側壁はメッシュ構造をなしていて、浸透箱を複数列横並びにして使用する場合には、メッシュの孔に結束バンドを通して横並びの浸透箱同士を結束していた（例えば、特許文献１参照）。
【先行技術文献】
【特許文献】
【０００３】
【特許文献１】特許４００２８２０号公報（図１、図８，図９）
【発明の概要】
【発明が解決しようとする課題】
【０００４】
しかしながら、上記した従来の浸透箱では、横並びになった浸透箱のうち一方の浸透箱の上面のメッシュの孔に通した結束バンドを他方の浸透箱の上面のメッシュの孔から引き出すために、例えば、結束バンドを通した孔の隣の孔に工具を挿入する必要があり、手間がかかっていた。
【０００５】
本発明は、上記事情に鑑みてなされたもので、横並びに配置された浸透箱同士を容易に結束することが可能な浸透箱の提供を目的とする。
【課題を解決するための手段】
【０００６】
上記目的を達成するためになされた請求項１の発明は、メッシュ構造の側壁を有して前面と後面とが開放した直方体状をなし、前後に複数並んだ状態で地中に埋設されて浸透トレンチを構成する浸透箱であって、前記側壁同士が直交する側壁間角部を挟んだ両側に開口する１対の第１バンド挿通口と、前記１対の第１バンド挿通口に対して前記側壁間角部から離れた側に隣接配置される１対の第２バンド挿通口と、前記浸透箱同士が前後に並んだ状態で他の浸透箱の前記１対の第１バンド挿通口の間に挿入されるか、又は、前記側壁間角部を挟んだ前記側壁同士の間に差し渡された状態に形成されるかして、一方の前記第１バンド挿通口に挿入される結束バンドの先端を他方の前記第１バンド挿通口へと案内する第１バンドガイド壁と、前記浸透箱同士が前後に並んだ状態で他の浸透箱の前記１対の第２バンド挿通口の間に挿入されるか、又は、前記側壁間角部を挟んだ前記側壁同士の間に差し渡された状態に形成されるかして、一方の前記第２バンド挿通口に挿入される結束バンドの先端を他方の前記第２バンド挿通口へと案内する第２バンドガイド壁と、を備える浸透箱である。
【０００７】
請求項２の発明は、前記第１バンド挿通口及び前記第２バンド挿通口は、前記浸透箱の後端側のコーナー部に配置され、前記浸透箱の前面から突出して、前記浸透箱同士が前後に並んだ状態で他の浸透箱の後端側のコーナー部に挿入されるコーナー突部と、前記コーナー突部に形成されて、前記他の浸透箱の前記１対の第１バンド挿通口に内側から重なる１対の第１内側バンド挿通口と、前記コーナー突部に形成されて、前記他の浸透箱の前記１対の第２バンド挿通口に内側から重なる１対の第２内側バンド挿通口と、が備えられ、前記第１バンドガイド壁は、前記１対の第１内側バンド挿通口の前記側壁間角部から離れた側の開口縁間を連絡し、前記第２バンドガイド壁は、前記１対の第２内側バンド挿通口の前記側壁間角部から離れた側の開口縁間を連絡している請求項１に記載の浸透箱である。
【０００８】
請求項３の発明は、前記１対の第１バンド挿通口のうち前記側壁間角部から離れた側の内面は、前記１対の第１内側バンド挿通口のうち前記側壁間角部から離れた側の内面より、さらに前記側壁間角部から離れた側に位置している請求項２に記載の浸透箱である。
【０００９】
請求項４の発明は、前記第１バンドガイド壁のうち前記側壁間角部側を向いた面は、両端寄り位置で屈曲して前記１対の第１内側バンド挿通口の内面に連続している請求項２又は３に記載の浸透箱である。
【００１０】
請求項５の発明は、横並びに配置された前記浸透箱の前記第１バンド挿通口同士及び前記第２バンド挿通口同士の間に隙間が形成されるように、前記浸透箱同士の間で当接するサイド当接部を備える請求項１乃至４の何れか１の請求項に記載の浸透箱である。
【００１１】
請求項６の発明は、前記第１バンド挿通口より前記第２バンド挿通口の方が、前記第１バンド挿通口と前記第２バンド挿通口との並び方向で大きくなっている請求項１乃至５の何れか１の請求項に記載の浸透箱である。
【００１２】
請求項７の発明は、前記第１バンドガイド壁は、略平坦になっている一方、前記第２バンドガイド壁は、略円弧状に湾曲している請求項１乃至６の何れか１の請求項に記載の浸透箱である。
【発明の効果】
【００１３】
［請求項１の発明］
請求項１の発明によれば、横並びになった浸透箱のうち一方の浸透箱の上面の第１バンド挿通口に結束バンドを挿入すると、その結束バンドの先端部が第１バンドガイド壁によって側面の第１バンド挿通口の外側へと案内される。そして、その結束バンドの先端部が、他方の浸透箱の側面の第１バンド挿通口に突入して、第１バンドガイド壁の案内により上面の第１バンド挿通口の外側へと案内される。ここで、一方の浸透箱の側面の第１バンド挿通口から結束バンドが斜め下方に突出し、他方の浸透箱の側面の第１バンド挿通口に入らなくても、他方の浸透箱の第１バンド挿通口の下方には第２バンド挿通口が開口しているから、その第２バンド挿通口に結束バンドの先端部が入る。そして、第２バンドガイド壁により他方の浸透箱の上面の第２バンド挿通口の外側へと案内される。このように本発明によれば、横並びになった両浸透箱のうち一方の浸透箱内に上面から挿入した結束バンドの先端部を、第１又は第２のバンドガイド壁の案内により、他方の浸透箱の上面から外側に容易に突出させることができ、結束バンドの結束作業を容易に行うことができる。即ち、本発明によれば、横並びになった浸透箱同士を工具を使わず容易に結束することができる。
【００１４】
［請求項２の発明］
請求項２の発明によれば、結束バンドにより、横並びの浸透箱同士と、前後の浸透箱同士との両方を結束することができる。
【００１５】
［請求項３の発明］
請求項３の浸透箱では、第１バンド挿通口のうち側壁間角部から離れた側の内面が、第１内側バンド挿通口のうち側壁間角部から離れた側の内面より、さらに側壁間角部から離れた位置に配置されているので、結束バンドの先端を容易に浸透箱の内側から外側へと排出することができる。
【００１６】
［請求項４の発明］
請求項４の浸透箱では、第１バンドガイド壁のうち側壁間角部側を向いた面は、両端寄り位置で屈曲して１対の第１内側バンド挿通口の内面に連続しているので、結束バンドの先端を容易に浸透箱の内側から外側へと出すことができる。
【００１７】
［請求項５の発明］
請求項５の浸透箱のように、横並びの浸透箱同士の間でサイド当接部を当接させて、両浸透箱の第１バンド挿通口同士及び第２バンド挿通口同士の間に隙間を形成し、一方の浸透箱の第１バンド挿通口から出た結束バンドを、他方の浸透箱の第２バンド挿通口に突入し易くしてもよい。
【００１８】
［請求項６の発明］
請求項６の浸透箱のように、第１バンド挿通口より第２バンド挿通口を大きくしたことで、一方の浸透箱の第１バンド挿通口から排出された結束バンドの先端部が、他方の浸透箱の第１バンド挿通口に突入しなかった場合に、第２バンド挿通口に突入し易くなる。
【００１９】
［請求項７の発明］
請求項７の浸透箱では、第１バンドガイド壁が略平坦になっているので、結束バンドを大きく曲げずに案内することができる。また、第２バンドガイド壁は、略円弧状に湾曲しているので、結束バンドをスムーズに案内することができる。
【図面の簡単な説明】
【００２０】
【図１】本発明の一実施形態に係る浸透箱の前面側斜視図
【図２】浸透箱の後面側斜視図
【図３】２つの浸透箱が前後に並んだ状態の斜視図
【図４】浸透箱のコーナー部の一部破断斜視図
【図５】前後に並んだ浸透箱の嵌合部分の一部破断斜視図
【図６】連結パーツの斜視図
【図７】浸透箱のうち連結パーツが取り付けられた部分の正断面図
【図８】前後に並んだ浸透箱同士の嵌合部分の正断面図
【図９】浸透箱列を２列横並びにした状態の斜視図
【図１０】横並びの浸透箱同士の間に結束バンドを通した状態の正断面図
【図１１】横並びの浸透箱同士の間に結束バンドを通した状態の正断面図
【図１２】横倒しにした浸透箱列を２列横並びにした状態の斜視図
【図１３】横並びの浸透箱同士の間に結束バンドを通した状態の正断面図
【発明を実施するための形態】
【００２１】
以下、本発明の一実施形態を図１〜図１３に基づいて説明する。図１には、本実施形態の浸透箱１０を前側から見た斜視図がされている。同図に示すように、この浸透箱１０は、互いに対向する１対の長辺側壁１１，１１と１対の短辺側壁１２，１２とを有する。また、浸透箱１０は、通常は、１対の短辺側壁１２，１２の対向方向を上下方向に向けた状態にして使用されるが、１対の長辺側壁１１，１１の対向方向を上下方向に向けた状態にして使用されることもある。以下の説明では、特記しない限り、１対の短辺側壁１２，１２の対向方向を上下方向、１対の長辺側壁１１，１１の対向方向を横方向又は左右方向と呼ぶこととする。また、上下方向のうち後述する第１円筒部２０が配置されている側を上側と呼ぶこととする。
【００２２】
長辺側壁１１及び短辺側壁１２は、共に複数の角孔１４を備えるメッシュ構造をなしている。また、浸透箱１０内の前後方向の中央には、中間壁１３が浸透箱１０内全体に張られ、浸透箱１０内全体を前後に仕切っている。また、中間壁１３も、複数の角孔１４を備えるメッシュ構造をなしている。
【００２３】
浸透箱１０の横方向の中央には、中間壁１３の上端部を前後に貫通する第１円筒部２０と、中間壁１３の下端部を前後に貫通する第２円筒部２１とが備えられている。なお、第１円筒部２０は、浸透箱１０の横方向の大きさの略１／４〜１／３の外径をなし、第２円筒部２１は、第１円筒部２０の１／５〜１／４の外径をなしている。
【００２４】
また、第１円筒部２０及び第２円筒部２１は、共に浸透箱１０全体の前面（即ち、長辺側壁１１及び短辺側壁１２の前面）より僅かに前方に突出し、第１円筒部２０及び第２円筒部２１の後面と浸透箱１０全体の後面（即ち、長辺側壁１１及び短辺側壁１２の後面）とは略面一になっている。
【００２５】
また、第１円筒部２０及び第２円筒部２１は、中間壁１３より後側部分より前側部分の方が僅かに外径が小さくなっている。さらに、図２に示すように、第１円筒部２０の後端部の全周と、第２円筒部２１の後端部の上部とには、それぞれ複数の切欠２０Ｋ，２１Ｋが形成されている。そして、図３に示すように、浸透箱１０，１０を前後に並べたときに、後側の浸透箱１０の第１円筒部２０及び第２円筒部２１の先端部が、前側の浸透箱１０の第１円筒部２０及び第２円筒部２１の後端部に嵌合して、それら嵌合部分の前側にそれぞれ複数の切欠２０Ｋ，２１Ｋが開口した状態になる。
【００２６】
浸透箱１０内には、上下方向に延びる複数の長辺リブ１５と、横方向に延びる複数の短辺リブ１６とが格子状に張り巡らされている。また、複数の長辺リブ１５及び複数の短辺リブ１６は、第１円筒部２０及び第２円筒部２１の内部を除き、浸透箱１０の上下方向の全体又は左右方向の全体に亘って延びている。また、浸透箱１０の下端部には、１対の長辺側壁１１，１１から第２円筒部２１の両側部に向かって下るように傾斜して延びた傾斜リブ２２が備えられている。
【００２７】
複数の長辺リブ１５及び複数の短辺リブ１６及び傾斜リブ２２は、何れも中間壁１３を前後に貫通している。傾斜リブ２２の前後方向の幅は、長辺側壁１１及び短辺側壁１２の前後方向の幅と同じになっている。複数の長辺リブ１５及び短辺リブ１６に関しては、長辺側壁１１及び短辺側壁１２から内側に離れるに従って長辺側壁１１及び短辺側壁１２より前後方向の幅が小さくなっている。
【００２８】
図１に示すように、長辺側壁１１及び短辺側壁１２の外面のうち短辺リブ１６及び長辺リブ１５の延長上には、前後方向に亘って延びる縦突条１７が形成されている。また、浸透箱１０の前端と後端とそれらの間の２箇所との計４箇所には、縦突条１７と直交する横突条１８が浸透箱１０の全周に亘って形成されている。
【００２９】
なお、長辺側壁１１と上側の短辺側壁１２とが直交する側壁間角部２８の近傍位置には、浸透箱１０の前方側を示す矢印１０Ｍが刻印されている。
【００３０】
各短辺側壁１２のうち横方向の両端の縦突条１７，１７と、それらより１つ内側の縦突条１７，１７との間に挟まれた領域の前後の両端部には、係合孔２３がそれぞれ形成されている。図４に示すように、係合孔２３は、横並びに配置された小径孔２３Ａと大径孔２３Ｂとの間を小径孔２３Ａの内径より僅かに小さい幅の連絡路２３Ｃにて連絡した構造をなしている。また、係合孔２３の開口縁全体から開口突部２３Ｔが突出している。
【００３１】
図１に示すように、各長辺側壁１１においては、係合孔２３は、上から１番目と２番目の縦突条１７，１７の間、４番目と５番目の縦突条１７，１７の間の各領域の前後の両端部にそれぞれ配置されている。また、短辺側壁１２の係合孔２３は、全て大径孔２３Ｂより小径孔２３Ａが横方向の端部側に配置され、長辺側壁１１の係合孔２３は、全て大径孔２３Ｂより小径孔２３Ａが下側に配置されている。
【００３２】
係合孔２３には、図６（Ａ）及び図６（Ｂ）に示した連結パーツ２４が取り付けられる。同図に示すように、連結パーツ２４は、両端部が略円弧状となった帯板状のベース部２５を備える。ベース部２５の表側面の外縁部全体からは突起２５Ｔが突出している。また、突起２５Ｔは、ベース部２５の表側面における長手方向の中間の２箇所を幅方向に横切るようにも形成されている。一方、ベース部２５の裏側面における長手方向の中間部からは、ベース部２５を幅方向に横切る１対の土手部２５Ｓ，２５Ｓが形成されている。
【００３３】
ベース部２５の裏側面における長手方向の両端部からは、係合ボス２６，２６が突出している。係合ボス２６は、円筒部２６Ａの先端から円盤部２６Ｂが側方に張り出した構造をなし、円盤部２６Ｂのうちベース部２５の反対側を向いた面の外縁部はテーパー面２６Ｔになっている。
【００３４】
なお、連結パーツ２４全体は、ベース部２５の長手方向及び幅方向の両方向の中心に対してそれぞれ対称な形状になっている。また、円盤部２６Ｂの外径は、係合孔２３の大径孔２３Ｂの内径より僅かに小さく、小径孔２３Ａの内径より僅かに大きくなっている。また、円筒部２６Ａの外径は、係合孔２３の小径孔２３Ａの内径より僅かに小さく、連絡路２３Ｃの幅より僅かに大きくなっている。さらに、係合ボス２６，２６の中心間の距離は、係合孔２３における小径孔２３Ａと大径孔２３Ｂの中心間の距離より大きくなっている。
【００３５】
連結パーツ２４は、前後に並んだ浸透箱１０，１０の間に架け渡され、それぞれの係合孔２３，２３に係合させて浸透箱１０，１０の連結を強化するために使用される。具体的には、浸透箱１０，１０の間で隣り合う係合孔２３，２３の大径孔２３Ｂ，２３Ｂに係合ボス２６，２６を挿入する。すると、図７に示すように、連結パーツ２４の土手部２５Ｓ，２５Ｓの間に、両浸透箱１０，１０の横突条１８，１８が重なった状態で収まる。そこで、横突条１８，１８に沿って連結パーツ２４を小径孔２３Ａ，２３Ａ側に押か又は引く。すると、円筒部２６Ａ，２６Ａが変形して連絡路２３Ｃ，２３Ｃを通過し、小径孔２３Ａ，２３Ａに収まって弾性復帰する。これにより、係合ボス２６，２６が各係合孔２３，２３に抜け止めされ、連結パーツ２４によって前後の浸透箱１０，１０が連結された状態に保持される。
【００３６】
上記した連結パーツ２４の移動操作は、ベース部２５の突起２５Ｔに指先を引っ掛けることで容易に行うことができる。また、連結パーツ２４を使用しないときには、係合孔２３の小径孔２３Ａと角孔１４とに係合ボス２６，２６を挿入しておけばよい。なお、係合ボス２６，２６の中心間の距離と、係合孔２３における小径孔２３Ａと大径孔２３Ｂの中心間の距離とを同じにして、連結パーツ２４を使用しないときに、係合孔２３の小径孔２３Ａと大径孔２３Ｂとに係合ボス２６，２６を挿入しておけるようにしてもよい。
【００３７】
図１に示すように、浸透箱１０のうち前側のコーナー部２９には、角筒部２９Ｃがそれぞれ形成されている。即ち、浸透箱１０の上部では、短辺リブ１６と長辺リブ１５と長辺側壁１１及び短辺側壁１２とに囲まれた角部の升目において、長辺リブ１５と短辺リブ１６とが長辺側壁１１及び短辺側壁１２の前端と面一になる位置まで延長されて角筒部２９Ｃが形成されている。一方、浸透箱１０の下部では、傾斜リブ２２と長辺リブ１５と長辺側壁１１及び短辺側壁１２とに囲まれた角部の升目において、長辺リブ１５が長辺側壁１１及び短辺側壁１２及び傾斜リブ２２の前端と面一になる位置まで延長されて角筒部２９Ｃが形成されている。
【００３８】
図１に示すように、各角筒部２９Ｃの前面のうち外縁部を除く全体を前方に突出させて、浸透箱１０の前面四隅にコーナー突部３０が形成されている。各コーナー突部３０は、角筒部２９Ｃの前面における外縁寄り位置から突出した側壁３２の前側に中間壁１３と平行な前面壁３１を備えた構造をなしている。
【００３９】
なお、図４に示すように、長辺側壁１１及び短辺側壁１２のうち側壁間角部２８に最も近い縦突条１７，１７より側壁間角部２８側は、後端から前端に向かって徐々に内側に向かうように傾斜していて、その延長線上にコーナー突部３０の側壁３２における外側の２辺が位置している。コーナー突部３０の詳細については、後に詳説する。
【００４０】
浸透箱１０の後面側の各コーナー部２９には、側壁間角部２８を挟んだ両側にバンド挿通口９０，９０が設けられている。図４に示すように上側の短辺側壁１２におけるバンド挿通口９０は、側壁間角部２８に最も近い縦突条１７から側壁間角部２８寄り位置まで横突条１８に沿って細長く延びている。また、バンド挿通口９０の開口縁には、横突条１８の一部及び縦突条１７の一部が位置すると共に、それら横突条１８の一部及び縦突条１７の一部と対向するようにバンド挿通口９０の残りの開口縁から開口突条９０Ｔが突出している。
【００４１】
図８に示すように、バンド挿通口９０には、側壁間角部２８寄り位置に区画壁９１が備えられ、区画壁９１よりバンド挿通口９０内が側壁間角部２８側の第１バンド挿通口５１とその反対側の第２バンド挿通口５２とに仕切られている。
【００４２】
第１バンド挿通口５１のうち側壁間角部２８側の内面５１Ｂとその反対側の内面５１Ａは、それらの上下方向の中間位置から上側が互いに離れるように傾斜している。
【００４３】
また、第２バンド挿通口５２のうち側壁間角部２８側の内面５２Ｂは、全体が上下方向に対して平行になっている。一方、第２バンド挿通口５２のうち側壁間角部２８から離れた側の内面５２Ａは、上下方向の中間位置から上側が、上下方向に対して第１バンド挿通口５１の内面５１Ａより大きな角度で傾斜している。
【００４４】
また、下側の短辺側壁１２にも上側の短辺側壁１２と同じようにバンド挿通口９０が形成されている。そして、長辺側壁１１には、上下の短辺側壁１２のバンド挿通口９０に対して側壁間角部２８を挟んで対称的な位置にバンド挿通口９０が備えられている。
【００４５】
図４には、前面壁３１が切除されたコーナー突部３０の一部破断斜視図が示され、図５には、前後に並んだ浸透箱１０，１０の互いの嵌合部分の一部破断斜視図が示されている。図４に示すように、コーナー突部３０の側壁３２には、側壁間角部２８を挟んだ両側に１対の第１内側バンド挿通口４１，４１が形成されている。また、１対の第１内側バンド挿通口４１，４１に対してそれぞれ側壁間角部２８から離れた側には、１対の第２内側バンド挿通口４２，４２が隣接した状態に形成されている。そして、図５に示すように、コーナー突部３０が、他方の浸透箱１０の後端のコーナー部２９に嵌合すると、他の浸透箱１０の１対の第１バンド挿通口５１，５１に対してコーナー突部３０の１対の第１内側バンド挿通口４１，４１が内側から対向すると共に、他の浸透箱１０の１対の第２バンド挿通口５２，５２に対してコーナー突部３０の１対の第２内側バンド挿通口４２，４２が内側から対向する。
【００４６】
詳細には、図８に示すように、横突条１８と平行な方向（図８の左右方向）において
第１内側バンド挿通口４１の中心と第１バンド挿通口５１の中心とは略一致している。また、第１内側バンド挿通口４１のうち横突条１８と平行な方向で対向する内面４１Ａ，４１Ｂは、コーナー突部３０内に向かうに従って互いに接近するように僅かに傾斜している。さらには、第１内側バンド挿通口４１における第１バンド挿通口５１側の端部は、第１バンド挿通口５１における第１内側バンド挿通口４１側の端部より僅かに狭くなっている。また、１対の第１内側バンド挿通口４１，４１の側壁間角部２８から離れた開口縁同士の間は、第１バンドガイド壁３３によって連絡されている。第１バンドガイド壁３３は、平板状をなして、前面壁３１（図１参照）から図４に示すように第１内側バンド挿通口４１より後側となる位置まで張り出している。そして、第１バンドガイド壁３３のうち側壁間角部２８側を向いた平坦面に対して、第１内側バンド挿通口４１の内面４１Ａが屈曲した状態になって繋がっている。
【００４７】
図８に示すように、第２内側バンド挿通口４２の内面４２Ａ，４２Ｂは、第２バンド挿通口５２の内面５２Ａ，５２Ｂより側壁間角部２８側に僅かにずれている。また、第２内側バンド挿通口４２のうち側壁間角部２８から離れた側の内面４２Ａは円弧状をなしている。さらに、１対の第２内側バンド挿通口４２，４２の側壁間角部２８から離れた開口縁同士の間は、第２バンドガイド壁３４によって連絡されている。第２バンドガイド壁３４は、円弧状に湾曲した板状をなして、前面壁３１（図１参照）から図４に示すように第２内側バンド挿通口４２より後側となる位置まで張り出している。そして、第２バンドガイド壁３４のうち側壁間角部２８側を向いた円弧面と、第２内側バンド挿通口４２の内面４２Ａとが連続している。
【００４８】
本実施形態の浸透箱１０の構成に関する説明は以上である。次に、この浸透箱１０の作用効果について説明する。浸透トレンチを設営するには、例えば、地面に浸透箱１０の全高より深い図示しない溝（以下、地下溝）を掘削し、その一端部に雨水枡を配置する。また、地下溝全体の内側に透水シートを敷設しておく。次いで、雨水枡の上端寄り位置の大径孔とその下方の小径孔とに大小の連絡パイプを通して側方に突出させておく。そして、１つ目の浸透箱１０を、その前面を雨水枡に向けた状態に配置して、大小の連絡パイプを浸透箱１０の第１円筒部２０及び第２円筒部２１に挿入する。そして、その浸透箱１０の後側に順次浸透箱１０を連結していく。
【００４９】
具体的には、雨水枡に対峙する１つ目の浸透箱１０の後面に、追加する後側の浸透箱１０の前面を押し付ける。すると、前側の浸透箱１０の第１円筒部２０及び第２円筒部２１に後側の浸透箱１０の第１円筒部２０及び第２円筒部２１が嵌合すると共に、前側の浸透箱１０の後面四隅に後側の浸透箱１０の前面四隅のコーナー突部３０が嵌合する。この状態で、両浸透箱１０，１０に跨がるように連結パーツ２４を上面と両側面とに装着する。この作業を繰り返して浸透箱列１０Ｒが形成される。
【００５０】
浸透箱列１０Ｒが完成したら、浸透箱列１０Ｒ全体に透水シートを巻き付ける。そして、透水シートの上から土を被せて、浸透箱列１０Ｒを埋める。以上により、浸透トレンチが完成する。これにより、大雨が降って一度に大量の雨水が雨水枡に流れ込んだときに、雨水枡から浸透箱列１０Ｒ内（即ち、浸透トレンチ内）に雨水が流れ込むことで、雨水が雨水枡から溢れる事態が防がれる。なお、浸透箱列１０Ｒ内に流れ込んだ雨水は、一次的に貯留され、雨水枡内の水が引いたら、一部が、第２円筒部２１を通って雨水枡に戻され、他の一部が透水シートを通して地面に染み込んでいく。
【００５１】
さて、浸透トレンチの容量を大きくしたり、浸透トレンチの容量が同じで長さを抑えたい場合には、図９に示すように、浸透箱列１０Ｒが複数列、横並びに配置される。そのためには、前述の地下溝の横幅を拡げ、前述の通り１つの浸透箱列１０Ｒ（以下、第１の浸透箱列１０Ｒという）を完成させたら、第１の浸透箱列１０Ｒの前端の浸透箱１０の隣に２列目の浸透箱列１０Ｒ（第２の浸透箱列１０Ｒ）の１つ目の浸透箱１０を配置し、その後側から次の浸透箱１０を連結する。そして、それら浸透箱１０，１０の上面と第１の浸透箱列１０Ｒと反対側の側面とにそれぞれ連結パーツ２４を架け渡すように装着する。また、第１の浸透箱列１０Ｒと隣り合わせになる側面の連結パーツ２４は、使用せずに一方の浸透箱１０の係合孔２３のみに装着した状態にしておく。
【００５２】
この状態で第２の浸透箱列１０Ｒの両浸透箱１０，１０の嵌合部分と、その真横に位置する第１の浸透箱列１０Ｒの両浸透箱１０，１０の嵌合部分とを結束バンドＢにて結束する。図１０には、それら第１と第２の浸透箱列１０Ｒ，１０Ｒの間で隣り合った浸透箱１０，１０同士の嵌合部分が示されている。ここで、同図の左側を、第１の浸透箱列１０Ｒの浸透箱１０，１０の嵌合部分とし、以下適宜、第１の浸透箱列１０Ｒの浸透箱１０を「左側の浸透箱１０」といい、同図の右側を、第２の浸透箱列１０Ｒの浸透箱１０，１０の嵌合部分とし、以下適宜、第２の浸透箱列１０Ｒの浸透箱１０を「右側の浸透箱１０」ということとして、結束バンドＢの結束作業について説明する。
【００５３】
結束バンドＢの結束作業を行うには、先ず、右側の浸透箱１０，１０の嵌合部分の上面の第１バンド挿通口５１に結束バンドＢを挿入する。すると、結束バンドＢの先端部が第１バンド挿通口５１の内面５１Ａ，５１Ｂに案内されて、コーナー突部３０の一方の第１内側バンド挿通口４１に挿入されて第１バンドガイド壁３３に当接する。そして、第１バンドガイド壁３３と前面壁３１（図１参照）によってコーナー突部３０の他方の第１内側バンド挿通口４１に案内され、右側の浸透箱１０の側面の第１バンド挿通口５１から外側に排出される。
【００５４】
右側の浸透箱１０の側面の第１バンド挿通口５１から排出された結束バンドＢの先端部は、その真正面に位置する左側の浸透箱１０の側面の第１バンド挿通口５１に突入する。そして、第１バンド挿通口５１の下側の内面５１Ａとコーナー突部３０の一方の第１内側バンド挿通口４１の下側の内面４１Ａとに摺接して、第１内側バンド挿通口４１からコーナー突部３０内に進入し、第１バンドガイド壁３３及び前面壁３１に案内されて、コーナー突部３０の他方の第１内側バンド挿通口４１から第１バンド挿通口５１を通って、左側の浸透箱１０の上面から外側に排出される。ここで、第１バンドガイド壁３３は平坦になっているので、結束バンドＢは大きく湾曲することなく（即ち、ロス無く）案内されて浸透箱１０の上方に排出される。そして、結束バンドＢの両端部を係合させて結束バンドＢの結束作業が完了する。
【００５５】
ところで、図１１に示すように、右側の浸透箱１０の側面の第１バンド挿通口５１から結束バンドＢが斜め下方に排出され、左側の浸透箱１０の側面の第１バンド挿通口５１に入らない場合がある。しかしながら、左側の浸透箱１０の第１バンド挿通口５１の下方には第２バンド挿通口５２が開口しているから、その第２バンド挿通口５２に結束バンドＢの先端部が突入する。また、第２バンド挿通口５２は、第１バンド挿通口５１より大きいので、結束バンドＢの先端部が容易に突入する。
【００５６】
すると、結束バンドＢの先端部は第２バンド挿通口５２から第２内側バンド挿通口４２を通過して第２バンドガイド壁３４の途中部分に付き当り、その第２バンドガイド壁３４と前面壁３１とに案内されて、コーナー突部３０の他方の第２内側バンド挿通口４２から第２バンド挿通口５２を通って、左側の浸透箱１０の上面から外側に排出される。また、第２バンドガイド壁３４は湾曲しているので、結束バンドＢが左側の浸透箱１０の上方までスムーズに案内される。そして、結束バンドＢの両端部を係合させて結束バンドＢの結束作業が完了する。
【００５７】
第２の浸透箱列１０Ｒの浸透箱１０を追加する度に上述した作業を繰り返して、第２の浸透箱列１０Ｒを第１の浸透箱列１０Ｒと同じ長さにする。そして、第１及び第２の浸透箱列１０Ｒの全体に透水シートを巻き付ける。そして、透水シートの上から土を被せる。以上により、浸透トレンチが完成する。
【００５８】
また、図１２に示すように、浸透箱列１０Ｒを横倒しにして複数列横並びにした場合も、図１３に示すように、上述した例と同様に、結束バンドＢにて横並びの浸透箱１０，１０同士を結束することができる。
【００５９】
以上のように本実施形態の浸透箱１０の構成によれば、横並びになった両浸透箱１０，１０のうち一方の浸透箱１０内に上面から挿入した結束バンドＢの先端部を、第１又は第２のバンドガイド壁３３，３４と前面壁３１との案内により、他方の浸透箱１０の上面から外側に容易に排出させることができ、結束バンドＢの結束作業を容易に行うことができる。つまり、本実施形態によれば、横並びの浸透箱１０，１０同士を工具を使わず容易に結束することができる。また、結束バンドＢが前後の浸透箱１０，１０同士の嵌合部分を貫通するので、結束バンドＢにより横並びの浸透箱１０，１０同士と、前後の浸透箱１０，１０同士の両方を結束することができる。
【００６０】
また、第１バンド挿通口５１のうち側壁間角部２８から離れた側の内面５１Ａが、第１内側バンド挿通口４１のうち側壁間角部２８から離れた側の内面４１Ａより、さらに側壁間角部２８から離れた位置に配置されているので、結束バンドＢの先端部を容易に浸透箱１０の内側から外側へと排出することができる。さらには、第１バンドガイド壁３３のうち側壁間角部２８側を向いた面は、両端寄り位置で屈曲して１対の第１内側バンド挿通口４１，４１の内面４１Ａ，４１Ａに連続しているので、この点においても、結束バンドＢの先端を容易に浸透箱１０の内側から外側へと出すことができる。
【００６１】
なお、本実施形態の浸透箱１０のように、横並びの浸透箱１０，１０同士の間で連結パーツ２４，２４（本発明の「サイド当接部」に相当する）を当接させて、両浸透箱１０，１０の第１バンド挿通口５１同士及び第２バンド挿通口５２同士の間に隙間を形成し、一方の浸透箱１０の第１バンド挿通口５１から出た結束バンドＢを、他方の浸透箱１０の第２バンド挿通口５２に突入し易くしてもよいし、そのような隙間を小さくして、一方の浸透箱１０の第１バンド挿通口５１から出た結束バンドＢを、他方の浸透箱１０の第１バンド挿通口５１に突入し易くしてもよい。
【００６２】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６３】
（１）前記実施形態では、結束バンドＢが前後の浸透箱１０，１０の嵌合部分を貫通することで、結束バンドＢにより横並びの浸透箱１０，１０同士と、前後の浸透箱１０，１０同士の両方を結束する構成になっていたが、結束バンドＢを前後の浸透箱１０の嵌合部分以外の部分に貫通させて、結束バンドＢにより横並びの浸透箱１０，１０同士のみを結束する構成にしてもよい。この場合、第１バンドガイド壁３３及び第２バンドガイド壁３４は、側壁間角部２８を挟んだ長辺側壁１１と短辺側壁１２との間に差し渡された状態に形成すればよい。
【００６４】
（２）前記実施形態では、横並びの浸透箱１０，１０の間で、連結パーツ２４，２４同士が本発明に係るサイド当接部として当接する構成になっていたが、長辺側壁１１又は短辺側壁１２の一部である縦突条１７や横突条１８又は別途設けた突起をサイド当接部としてもよい。
【符号の説明】
【００６５】
１０    浸透箱
１１    長辺側壁
１２    短辺側壁
１３    中間壁
２４    連結パーツ（サイド当接部）
２８    側壁間角部
３０    コーナー突部
３１    前面壁
３２    側壁
３３    第１バンドガイド壁
３４    第２バンドガイド壁
４１    第１内側バンド挿通口
４２    第２内側バンド挿通口
５１    第１バンド挿通口
５２    第２バンド挿通口
Ｂ      結束バンド
【図１】
2018145732.tif 000003
【図２】
2018145732.tif 000004
【図３】
2018145732.tif 000005
【図４】
2018145732.tif 000006
【図５】
2018145732.tif 000007
【図６】
2018145732.tif 000008
【図７】
2018145732.tif 000009
【図８】
2018145732.tif 000010
【図９】
2018145732.tif 000011
【図１０】
2018145732.tif 000012
【図１１】
2018145732.tif 000013
【図１２】
2018145732.tif 000014
【図１３】
2018145732.tif 000015